【手続補正書】
【提出日】平成19年1月22日(2007.1.22)
【手続補正１】
【補正対象書類名】特許請求の範囲
【補正対象項目名】全文
【補正方法】変更
【補正の内容】
【特許請求の範囲】
【請求項１】
被写体を撮影して記録する撮像装置において、
電源電池の電圧に基づいて電池の消耗を判断する判断手段と、
焦点距離または合焦位置の調整に係わるレンズと、
制御データに基づいて前記レンズを移動させることで、焦点距離または合焦位置を変更するレンズ移動手段と、
焦点距離または合焦位置の変更を行うときに、前記電源電池の電圧を検出する電圧検出手段と、
前記電圧検出手段によって検出された電源電池の電圧を基に前記レンズの移動速度を決定する場合に、前記レンズの移動による電圧降下を含めた電源電池の電圧が、前記判断手段によって電池の消耗が判断される電圧を下回らないような前記レンズの移動速度を決定する移動速度決定手段と、
前記決定された移動速度で前記レンズを移動させるための制御データを生成して前記レンズ移動手段に渡す制御データ生成手段と、
を備えたことを特徴とする撮像装置。
【請求項２】
レンズの移動速度と降下電圧との対応関係を予め記憶した対応関係記憶手段を更に備え、
前記移動速度決定手段は、前記電圧検出手段によって検出された電源電池の電圧から降下電圧を差し引いた電圧が所定範囲となるような降下電圧を求め、この降下電圧に対応するレンズの移動速度を前記対応関係記憶手段を参照して決定することを特徴とする請求項１記載の撮像装置。
【請求項３】
前記対応関係記憶手段は、
電源電池の電圧範囲、電圧範囲毎のレンズの移動速度、及びそのレンズの移動速度に応じて生じる降下電圧の組からなる移動モード情報を記憶し、
前記移動速度決定手段は、前記移動モード情報を参照することで、前記電圧検出手段によって検出された電源電池の電圧が属する電圧範囲を判定し、この判定した電圧範囲に対応する降下電圧を前記電圧検出手段によって検出された電源電池の電圧から差し引いた差分電圧を取得し、この差分電圧が属する電圧範囲に対応付けられた移動速度を前記レンズの移動速度として決定することを特徴とする請求項２記載の撮像装置。
【請求項４】
予め設定された、電源電池の電圧範囲、電圧範囲毎の前記レンズの移動速度、及びそのズームレンズの移動速度に応じて生じる降下電圧の組からなる移動モード情報を有し、
前記移動速度決定手段は、前記移動モード情報のうち、前記電圧検出手段によって検出された電源電池の電圧が属する電圧範囲を判定する手段と、前記移動モード情報のうち判定した電圧範囲に対応する降下電圧を前記電圧検出手段によって検出された電源電池の電圧から差し引いた差分電圧を得る手段とを含み、前記移動モード情報のうち、前記差分電圧が属する電圧範囲に対応付けられた移動速度を前記レンズの移動速度として決定すること、を特徴とする請求項１記載の撮像装置。
【請求項５】
前記レンズは、焦点距離を変えて撮影を行うためのズームレンズであり、
ズーム指示手段と、
前記ズーム指示手段によるズーム指示を検出するズーム指示検出手段と、を更に備え、
前記移動速度決定手段は、前記ズーム指示検出手段によるズーム指示が検出されたとき、前記電圧検出手段によって検出された電源電池の電圧を基に、前記ズームレンズの移動による電圧降下を含めた電源電池の電圧が所定範囲となるような前記ズームレンズの移動速度を決定することを特徴とする請求項１乃至４記載の撮像装置。
【請求項６】
前記レンズは、自動合焦を行うためのオートフォーカスレンズであり、
前記移動速度決定手段は、前記オートフォーカス時に、前記電圧検出手段によって検出された電源電池の電圧を基に、前記オートフォーカスレンズの移動による電圧降下を含めた電源電池の電圧が所定範囲となるような前記オートフォーカスレンズの移動速度を決定することを特徴とする請求項１乃至４記載の撮像装置。
【請求項７】
前記移動速度決定手段は、前記レンズの移動速度として前記レンズの駆動電圧を決定し、
前記制御データ生成手段は、前記決定された前記レンズの駆動電圧を含む制御データを生成することを特徴とする請求項１乃至６記載の撮像装置。
【請求項８】
前記撮像装置はデジタルカメラであることを特徴とする請求項１乃至６記載の撮像装置。
【請求項９】
前記撮像装置はカメラ付き携帯電話であることを特徴とする請求項１乃至６記載の撮像装置。
【請求項１０】
焦点距離または合焦位置の変更を行うためのレンズと、このレンズを移動させるモータと、このモータを駆動するモータ駆動手段と、被写体を撮影して記録する撮像手段とを備えた撮像装置におけるレンズ移動制御方法であって、
電源電池の電圧を検出する電圧検出ステップと、
前記電圧検出ステップによって検出された電源電池の電圧を基に、前記レンズの移動による電圧降下を含めた電源電池の電圧が所定範囲となるような前記レンズの移動速度を決定する移動速度決定ステップと、
決定された移動速度で前記レンズを移動させるための前記モータの制御データを生成して前記モータ駆動手段に渡す制御データ生成ステップと、
を備えたことを特徴とするレンズ移動制御方法。
【請求項１１】
焦点距離または合焦位置の変更を行うためのレンズと、このレンズを移動させるモータと、このモータを駆動するモータ駆動手段と、被写体を撮影して記録する撮像手段とを備えた撮像装置において実行可能なプログラムであって、
電源電池の電圧を検出する電圧検出ステップと、
前記電圧検出ステップによって検出された電源電池の電圧を基に、前記レンズの移動による電圧降下を含めた電源電池の電圧が所定範囲となるような前記レンズの移動速度を決定する移動速度決定ステップと、
決定された移動速度で前記レンズを移動させるための前記モータの制御データを生成して前記モータ駆動手段に渡す制御データ生成ステップと、
を前記撮像装置に実行させることを特徴とするプログラム。
【手続補正２】
【補正対象書類名】明細書
【補正対象項目名】０００９
【補正方法】変更
【補正の内容】
【０００９】
上記課題を解決するために、請求項１に記載の発明では、被写体を撮影して記録する撮像装置において、電源電池の電圧に基づいて電池の消耗を判断する判断手段と、焦点距離または合焦位置の調整に係わるレンズと、制御データに基づいて前記レンズを移動させることで、焦点距離または合焦位置を変更するレンズ移動手段と、焦点距離または合焦位置の変更を行うときに、前記電源電池の電圧を検出する電圧検出手段と、前記電圧検出手段によって検出された電源電池の電圧を基に前記レンズの移動速度を決定する場合に、前記レンズの移動による電圧降下を含めた電源電池の電圧が、前記判断手段によって電池の消耗が判断される電圧を下回らないような前記レンズの移動速度を決定する移動速度決定手段と、前記決定された移動速度で前記レンズを移動させるための制御データを生成して前記レンズ移動手段に渡す制御データ生成手段と、を備えたことを特徴とする。
【手続補正３】
【補正対象書類名】明細書
【補正対象項目名】００１０
【補正方法】変更
【補正の内容】
【００１０】
また、請求項２に記載の発明では、上記発明において、レンズの移動速度と降下電圧との対応関係を予め記憶した対応関係記憶手段を更に備え、前記移動速度決定手段は、前記電圧検出手段によって検出された電源電池の電圧から降下電圧を差し引いた電圧が所定範囲となるような降下電圧を求め、この降下電圧に対応するレンズの移動速度を前記対応関係記憶手段を参照して決定することを特徴とする。
【手続補正４】
【補正対象書類名】明細書
【補正対象項目名】００１１
【補正方法】変更
【補正の内容】
【００１１】
また、請求項３に記載の発明では、上記発明において、前記対応関係記憶手段は、電源電池の電圧範囲、電圧範囲毎のレンズの移動速度、及びそのレンズの移動速度に応じて生じる降下電圧の組からなる移動モード情報を記憶し、前記移動速度決定手段は、前記移動モード情報を参照することで、前記電圧検出手段によって検出された電源電池の電圧が属する電圧範囲を判定し、この判定した電圧範囲に対応する降下電圧を前記電圧検出手段によって検出された電源電池の電圧から差し引いた差分電圧を取得し、この差分電圧が属する電圧範囲に対応付けられた移動速度を前記レンズの移動速度として決定することを特徴とする。
【手続補正５】
【補正対象書類名】明細書
【補正対象項目名】００１２
【補正方法】変更
【補正の内容】
【００１２】
また、請求項４に記載の発明では、上記発明において、予め設定された、電源電池の電圧範囲、電圧範囲毎の前記レンズの移動速度、及びそのズームレンズの移動速度に応じて生じる降下電圧の組からなる移動モード情報を有し、前記移動速度決定手段は、前記移動モード情報のうち、前記電圧検出手段によって検出された電源電池の電圧が属する電圧範囲を判定する手段と、前記移動モード情報のうち判定した電圧範囲に対応する降下電圧を前記電圧検出手段によって検出された電源電池の電圧から差し引いた差分電圧を得る手段とを含み、前記移動モード情報のうち、前記差分電圧が属する電圧範囲に対応付けられた移動速度を前記レンズの移動速度として決定すること、を特徴とする。
【手続補正６】
【補正対象書類名】明細書
【補正対象項目名】００１３
【補正方法】変更
【補正の内容】
【００１３】
また、請求項５に記載の発明では、上記発明において、前記レンズは、焦点距離を変えて撮影を行うためのズームレンズであり、ズーム指示手段と、前記ズーム指示手段によるズーム指示を検出するズーム指示検出手段と、を更に備え、前記移動速度決定手段は、前記ズーム指示検出手段によるズーム指示が検出されたとき、前記電圧検出手段によって検出された電源電池の電圧を基に、前記ズームレンズの移動による電圧降下を含めた電源電池の電圧が所定範囲となるような前記ズームレンズの移動速度を決定することを特徴とする。
【手続補正７】
【補正対象書類名】明細書
【補正対象項目名】００１４
【補正方法】変更
【補正の内容】
【００１４】
また、請求項６に記載の発明では、上記発明において、前記レンズは、自動合焦を行うためのオートフォーカスレンズであり、前記移動速度決定手段は、前記オートフォーカス時に、前記電圧検出手段によって検出された電源電池の電圧を基に、前記オートフォーカスレンズの移動による電圧降下を含めた電源電池の電圧が所定範囲となるような前記オートフォーカスレンズの移動速度を決定することを特徴とする。
【手続補正８】
【補正対象書類名】明細書
【補正対象項目名】００１５
【補正方法】変更
【補正の内容】
【００１５】
また、請求項７に記載の発明では、上記発明において、前記移動速度決定手段は、前記レンズの移動速度として前記レンズの駆動電圧を決定し、前記制御データ生成手段は、前記決定された前記レンズの駆動電圧を含む制御データを生成することを特徴とする。
【手続補正９】
【補正対象書類名】明細書
【補正対象項目名】００１６
【補正方法】変更
【補正の内容】
【００１６】
また、請求項８に記載の発明では、上記発明において、前記撮像装置はデジタルカメラであることを特徴とする。
【手続補正１０】
【補正対象書類名】明細書
【補正対象項目名】００１７
【補正方法】変更
【補正の内容】
【００１７】
また、請求項９に記載の発明では、上記発明において、前記撮像装置はカメラ付き携帯電話であることを特徴とする。
【手続補正１１】
【補正対象書類名】明細書
【補正対象項目名】００１８
【補正方法】変更
【補正の内容】
【００１８】
また、請求項１０に記載の発明では、焦点距離または合焦位置の変更を行うためのレンズと、このレンズを移動させるモータと、このモータを駆動するモータ駆動手段と、被写体を撮影して記録する撮像手段とを備えた撮像装置におけるレンズ移動制御方法であって、電源電池の電圧を検出する電圧検出ステップと、前記電圧検出ステップによって検出された電源電池の電圧を基に、前記レンズの移動による電圧降下を含めた電源電池の電圧が所定範囲となるような前記レンズの移動速度を決定する移動速度決定ステップと、決定された移動速度で前記レンズを移動させるための前記モータの制御データを生成して前記モータ駆動手段に渡す制御データ生成ステップと、を備えたことを特徴とする。
【手続補正１２】
【補正対象書類名】明細書
【補正対象項目名】００１９
【補正方法】変更
【補正の内容】
【００１９】
また、請求項１１に記載の発明では、焦点距離または合焦位置の変更を行うためのレンズと、このレンズを移動させるモータと、このモータを駆動するモータ駆動手段と、被写体を撮影して記録する撮像手段とを備えた撮像装置において実行可能なプログラムであって、電源電池の電圧を検出する電圧検出ステップと、前記電圧検出ステップによって検出された電源電池の電圧を基に、前記レンズの移動による電圧降下を含めた電源電池の電圧が所定範囲となるような前記レンズの移動速度を決定する移動速度決定ステップと、決定された移動速度で前記レンズを移動させるための前記モータの制御データを生成して前記モータ駆動手段に渡す制御データ生成ステップと、を前記撮像装置に実行させることを特徴とする。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
本発明により、撮像装置の焦点距離または合焦位置の変更を行うためのレンズ移動の際に生じる急激な電圧降下を緩和できるので、レンズ移動の際に生じていた電圧降下に伴う早期すぎる電池寿命判断を防止できる。